【手続補正書】
【提出日】平成29年10月6日(2017.10.6)
【手続補正１】
【補正対象書類名】特許請求の範囲
【補正対象項目名】全文
【補正方法】変更
【補正の内容】
【特許請求の範囲】
【請求項１】
独立基本サービスセットにおけるワイヤレス通信のための装置であって、
ネイバーアウェアネットワークにおいてデバイスからサービスディスカバリフレームを受信するように構成された受信機と、
アナウンスメントトラフィック表示メッセージウィンドウのタイミングを決定するように構成されたプロセッサと、ここにおいて、前記タイミングは、前記ネイバーアウェアネットワークのためのディスカバリウィンドウの先頭からのオフセットとして定義される、
前記アナウンスメントトラフィック表示メッセージウィンドウ中に、アナウンスメントトラフィック表示メッセージを送信するように構成された送信機と
を備え、
前記受信機は、前記ネイバーアウェアネットワークにおいて複数のワイヤレスデバイスから、それぞれが前記アナウンスメントトラフィック表示メッセージウィンドウの提案された持続時間を定義する、複数の独立基本サービスセットの利用可能属性を受信するようにさらに構成され、
前記プロセッサは、前記ネイバーアウェアネットワークにおける前記複数のワイヤレスデバイスからの前記提案された持続時間に基づいて、前記アナウンスメントトラフィック表示メッセージウィンドウの持続時間を決定するようにさらに構成される、装置。
【請求項２】
前記プロセッサは、データが前記アナウンスメントトラフィック表示メッセージウィンドウ中のタイムアウト期間内で受信されない場合、前記装置の１つ以上の部分をスリープモードに移行するように構成される、請求項１に記載の装置。
【請求項３】
前記プロセッサは、前記独立基本サービスセットの識別子に基づいて、前記装置のインターネットプロトコルアドレスを決定するように構成される、請求項１に記載の装置。
【請求項４】
前記プロセッサは、前記サービスディスカバリフレームにおけるサービスディスカバリ属性に基づいて、前記装置のインターネットプロトコルアドレスを決定するように構成される、請求項１に記載の装置。
【請求項５】
前記プロセッサは、前記装置のメディアアクセス制御アドレスに基づいて、前記装置のインターネットプロトコルアドレスを決定するように構成される、請求項１に記載の装置。
【請求項６】
前記装置との任意の通信は、前記アナウンスメントトラフィック表示メッセージウィンドウ中に発生する、請求項１に記載の装置。
【請求項７】
前記装置上で実行中の特定のアプリケーションとの任意の通信は、前記アナウンスメントトラフィック表示メッセージウィンドウ中に発生する、請求項１に記載の装置。
【請求項８】
独立基本サービスセットにおけるワイヤレス通信のための方法であって、
ネイバーアウェアネットワークにおいてデバイスからサービスディスカバリフレームを受信することと、
アナウンスメントトラフィック表示メッセージウィンドウのタイミングを決定することと、ここにおいて、前記タイミングは、前記ネイバーアウェアネットワークのためのディスカバリウィンドウの先頭からのオフセットとして定義される、
前記ネイバーアウェアネットワークにおいて複数のワイヤレスデバイスから、それぞれが前記アナウンスメントトラフィック表示メッセージウィンドウの提案された持続時間を定義する、複数の独立基本サービスセットの利用可能属性を受信することと、
前記ネイバーアウェアネットワークにおける前記複数のワイヤレスデバイスからの前記提案された持続時間に基づいて、前記アナウンスメントトラフィック表示メッセージウィンドウの持続時間を決定することと、
前記アナウンスメントトラフィック表示メッセージウィンドウ中に、アナウンスメントトラフィック表示メッセージを送信することと
を備える、方法。
【請求項９】
データが前記アナウンスメントトラフィック表示メッセージウィンドウ中のタイムアウト期間内で受信されない場合、スリープモードへ移行することをさらに備える、請求項８に記載の方法。
【請求項１０】
前記独立基本サービスセットの識別子に基づいて、インターネットプロトコルアドレスを決定することをさらに備える、請求項８に記載の方法。
【請求項１１】
前記サービスディスカバリフレームにおけるサービスディスカバリ属性に基づいて、インターネットプロトコルアドレスを決定することをさらに備える、請求項８に記載の方法。
【請求項１２】
メディアアクセス制御アドレスに基づいて、インターネットプロトコルアドレスを決定することをさらに備える、請求項８に記載の方法。
【請求項１３】
任意の通信は、前記アナウンスメントトラフィック表示メッセージウィンドウ中に受信される、請求項８に記載の方法。
【請求項１４】
特定のアプリケーションとの任意の通信は、前記アナウンスメントトラフィック表示メッセージウィンドウ中に発生する、請求項８に記載の方法。
【請求項１５】
非一時的なコンピュータ可読媒体であって、実行される場合、独立基本サービスセットにおけるワイヤレス通信のための装置に、
ネイバーアウェアネットワークにおいてデバイスからサービスディスカバリフレームを受信させ、
アナウンスメントトラフィック表示メッセージウィンドウのタイミングを決定させ、ここにおいて、前記タイミングは、前記ネイバーアウェアネットワークのためのディスカバリウィンドウの先頭からのオフセットとして定義される、
前記ネイバーアウェアネットワークにおいて複数のワイヤレスデバイスから、それぞれが前記アナウンスメントトラフィック表示メッセージウィンドウの提案された持続時間を定義する、複数の独立基本サービスセットの利用可能属性を受信させ、
前記ネイバーアウェアネットワークにおける前記複数のワイヤレスデバイスからの前記提案された持続時間に基づいて前記アナウンスメントトラフィック表示メッセージウィンドウの持続時間を決定させ、
前記アナウンスメントトラフィック表示メッセージウィンドウ中に、アナウンスメントトラフィック表示メッセージを送信させるコードを備える、非一時的なコンピュータ可読媒体。
【請求項１６】
実行される場合、前記コードはさらに、前記装置に、データが前記アナウンスメントトラフィック表示メッセージウィンドウ中のタイムアウト期間内で受信されない場合、スリープモードへ移行させる、請求項１５に記載の媒体。
【請求項１７】
実行される場合、前記コードはさらに、前記装置に、前記独立基本サービスセットの識別子に基づいて、インターネットプロトコルアドレスを決定させる、請求項１５に記載の媒体。
【請求項１８】
実行される場合、前記コードはさらに、前記装置に、前記サービスディスカバリフレームにおけるサービスディスカバリ属性に基づいて、インターネットプロトコルアドレスを決定させる、請求項１５に記載の媒体。
【請求項１９】
実行される場合、前記コードはさらに、前記装置に、メディアアクセス制御アドレスに基づいて、インターネットプロトコルアドレスを決定させる、請求項１５に記載の媒体。
【請求項２０】
任意の通信は、前記アナウンスメントトラフィック表示メッセージウィンドウ中に受信される、請求項１５に記載の媒体。
【請求項２１】
特定のアプリケーションとの任意の通信は、前記アナウンスメントトラフィック表示メッセージウィンドウ中に発生する、請求項１５に記載の媒体。
【請求項２２】
独立基本サービスセットにおけるワイヤレス通信のための装置であって、
ネイバーアウェアネットワークにおいてデバイスからサービスディスカバリフレームを受信するための手段と、
アナウンスメントトラフィック表示メッセージウィンドウのタイミングを決定するための手段と、ここにおいて、前記タイミングは、前記ネイバーアウェアネットワークのためのディスカバリウィンドウの先頭からのオフセットとして定義される、
前記ネイバーアウェアネットワークにおいて複数のワイヤレスデバイスから、それぞれが前記アナウンスメントトラフィック表示メッセージウィンドウの提案された持続時間を定義する、複数の独立基本サービスセットの利用可能属性を受信するための手段と、
前記ネイバーアウェアネットワークにおける前記複数のワイヤレスデバイスからの前記提案された持続時間に基づいて、前記アナウンスメントトラフィック表示メッセージウィンドウの持続時間を決定するための手段と、
前記アナウンスメントトラフィック表示メッセージウィンドウ中に、アナウンスメントトラフィック表示メッセージを送信するための手段と
を備える、装置。
【手続補正２】
【補正対象書類名】明細書
【補正対象項目名】００５４
【補正方法】変更
【補正の内容】
【００５４】
[0058]  前述は、本開示の態様を対象としている一方で、本開示のその他および更なる態様が、これらの基本的な範囲から逸脱することなく考案されることができ、その範囲は、以下に示す特許請求の範囲によって決定される。
以下に本願の出願当初の特許請求の範囲に記載された発明を付記する。
［Ｃ１］
独立基本サービスセットにおけるワイヤレス通信のための装置であって、
ネイバーアウェアネットワークにおいてデバイスからサービスディスカバリフレームを受信するように構成された受信機と、
アナウンスメントトラフィック表示メッセージウィンドウのタイミングを決定するように構成されたプロセッサと、ここにおいて、前記タイミングは、前記ネイバーアウェアネットワークのためのディスカバリウィンドウの先頭からのオフセットとして定義される、
前記アナウンスメントトラフィック表示メッセージウィンドウ中に、アナウンスメントトラフィック表示メッセージを送信するように構成された送信機と
を備える、装置。
［Ｃ２］
前記サービスディスカバリフレームは、前記アナウンスメントトラフィック表示メッセージウィンドウの持続時間を定義する独立基本サービスセットの利用可能属性を備える、Ｃ１に記載の装置。
［Ｃ３］
前記受信機は、前記ネイバーアウェアネットワークにおいて複数のワイヤレスデバイスから、それぞれが前記アナウンスメントトラフィック表示メッセージウィンドウの提案された持続時間を定義する、複数の独立基本サービスセットの利用可能属性を受信するように構成され、
前記プロセッサは、前記ネイバーアウェアネットワークにおける前記複数のワイヤレスデバイスからの前記提案された持続時間に基づいて、前記アナウンスメントトラフィック表示メッセージウィンドウの持続時間を決定するように構成される、Ｃ１に記載の装置。
［Ｃ４］
前記プロセッサは、データが前記アナウンスメントトラフィック表示メッセージウィンドウ中のタイムアウト期間内で受信されない場合、前記装置の１つ以上の部分をスリープモードに移行するように構成される、Ｃ１に記載の装置。
［Ｃ５］
前記プロセッサは、前記独立基本サービスセットの識別子に基づいて、前記装置のインターネットプロトコルアドレスを決定するように構成される、Ｃ１に記載の装置。
［Ｃ６］
前記プロセッサは、前記サービスディスカバリフレームにおけるサービスディスカバリ属性に基づいて、前記装置のインターネットプロトコルアドレスを決定するように構成される、Ｃ１に記載の装置。
［Ｃ７］
前記プロセッサは、前記装置のメディアアクセス制御アドレスに基づいて、前記装置のインターネットプロトコルアドレスを決定するように構成される、Ｃ１に記載の装置。
［Ｃ８］
前記装置との任意の通信は、前記アナウンスメントトラフィック表示メッセージウィンドウ中に発生する、Ｃ１に記載の装置。
［Ｃ９］
前記装置上で実行中の特定のアプリケーションとの任意の通信は、前記アナウンスメントトラフィック表示メッセージウィンドウ中に発生する、Ｃ１に記載の装置。
［Ｃ１０］
独立基本サービスセットにおけるワイヤレス通信のための方法であって、
ネイバーアウェアネットワークにおいてデバイスからサービスディスカバリフレームを受信することと、
アナウンスメントトラフィック表示メッセージウィンドウのタイミングを決定することと、ここにおいて、前記タイミングは、前記ネイバーアウェアネットワークのためのディスカバリウィンドウの先頭からのオフセットとして定義される、
前記アナウンスメントトラフィック表示メッセージウィンドウ中に、アナウンスメントトラフィック表示メッセージを送信することと
を備える、方法。
［Ｃ１１］
前記サービスディスカバリフレームは、前記アナウンスメントトラフィック表示メッセージウィンドウの持続時間を定義する独立基本サービスセットの利用可能属性を備える、Ｃ１０に記載の方法。
［Ｃ１２］
前記ネイバーアウェアネットワークにおいて複数のワイヤレスデバイスから、それぞれが前記アナウンスメントトラフィック表示メッセージウィンドウの提案された持続時間を定義する、複数の独立基本サービスセットの利用可能属性を受信することと、
前記ネイバーアウェアネットワークにおける前記複数のワイヤレスデバイスからの前記提案された持続時間に基づいて、前記アナウンスメントトラフィック表示メッセージウィンドウの持続時間を決定することと
をさらに備える、Ｃ１０に記載の方法。
［Ｃ１３］
データが前記アナウンスメントトラフィック表示メッセージウィンドウ中のタイムアウト期間内で受信されない場合、スリープモードへ移行することをさらに備える、Ｃ１０に記載の方法。
［Ｃ１４］
前記独立基本サービスセットの識別子に基づいて、インターネットプロトコルアドレスを決定することをさらに備える、Ｃ１０に記載の方法。
［Ｃ１５］
前記サービスディスカバリフレームにおけるサービスディスカバリ属性に基づいて、インターネットプロトコルアドレスを決定することをさらに備える、Ｃ１０に記載の方法。
［Ｃ１６］
メディアアクセス制御アドレスに基づいて、インターネットプロトコルアドレスを決定することをさらに備える、Ｃ１０に記載の方法。
［Ｃ１７］
任意の通信は、前記アナウンスメントトラフィック表示メッセージウィンドウ中に受信される、Ｃ１０に記載の方法。
［Ｃ１８］
特定のアプリケーションとの任意の通信は、前記アナウンスメントトラフィック表示メッセージウィンドウ中に発生する、Ｃ１０に記載の方法。
［Ｃ１９］
非一時的なコンピュータ可読媒体であって、実行される場合、独立基本サービスセットにおけるワイヤレス通信のための装置に、
ネイバーアウェアネットワークにおいてデバイスからサービスディスカバリフレームを受信させ、
アナウンスメントトラフィック表示メッセージウィンドウのタイミングを決定させ、ここにおいて、前記タイミングは、前記ネイバーアウェアネットワークのためのディスカバリウィンドウの先頭からのオフセットとして定義される、
前記アナウンスメントトラフィック表示メッセージウィンドウ中に、アナウンスメントトラフィック表示メッセージを送信させるコードを備える、非一時的なコンピュータ可読媒体。
［Ｃ２０］
前記サービスディスカバリフレームは、前記アナウンスメントトラフィック表示メッセージウィンドウの持続時間を定義する独立基本サービスセットの利用可能属性を備える、Ｃ１９に記載の媒体。
［Ｃ２１］
実行される場合、前記コードはさらに、前記装置に、
前記ネイバーアウェアネットワークにおいて複数のワイヤレスデバイスから、それぞれが前記アナウンスメントトラフィック表示メッセージウィンドウの提案された持続時間を定義する、複数の独立基本サービスセットの利用可能属性を受信させ、
前記ネイバーアウェアネットワークにおける前記複数のワイヤレスデバイスからの前記提案された持続時間に基づいて前記アナウンスメントトラフィック表示メッセージウィンドウの持続時間を決定させる、Ｃ１９に記載の媒体。
［Ｃ２２］
実行される場合、前記コードはさらに、前記装置に、データが前記アナウンスメントトラフィック表示メッセージウィンドウ中のタイムアウト期間内で受信されない場合、スリープモードへ移行させる、Ｃ１９に記載の媒体。
［Ｃ２３］
実行される場合、前記コードはさらに、前記装置に、前記独立基本サービスセットの識別子に基づいて、インターネットプロトコルアドレスを決定させる、Ｃ１９に記載の媒体。
［Ｃ２４］
実行される場合、前記コードはさらに、前記装置に、前記サービスディスカバリフレームにおけるサービスディスカバリ属性に基づいて、インターネットプロトコルアドレスを決定させる、Ｃ１９に記載の媒体。
［Ｃ２５］
実行される場合、前記コードはさらに、前記装置に、メディアアクセス制御アドレスに基づいて、インターネットプロトコルアドレスを決定させる、Ｃ１９に記載の媒体。
［Ｃ２６］
任意の通信は、前記アナウンスメントトラフィック表示メッセージウィンドウ中に受信される、Ｃ１９に記載の媒体。
［Ｃ２７］
特定のアプリケーションとの任意の通信は、前記アナウンスメントトラフィック表示メッセージウィンドウ中に発生する、Ｃ１９に記載の媒体。
［Ｃ２８］
独立基本サービスセットにおけるワイヤレス通信のための装置であって、ネイバーアウェアネットワークにおいてデバイスからサービスディスカバリフレームを受信するための手段と、
アナウンスメントトラフィック表示メッセージウィンドウのタイミングを決定するための手段と、ここにおいて、前記タイミングは、前記ネイバーアウェアネットワークのためのディスカバリウィンドウの先頭からのオフセットとして定義される、
前記アナウンスメントトラフィック表示メッセージウィンドウ中に、アナウンスメントトラフィック表示メッセージを送信するための手段と
を備える、装置。
［Ｃ２９］
前記サービスディスカバリフレームは、前記アナウンスメントトラフィック表示メッセージウィンドウの持続時間を定義する独立基本サービスセットの利用可能属性を備える、Ｃ２８に記載の装置。
［Ｃ３０］
前記ネイバーアウェアネットワークにおいて複数のワイヤレスデバイスから、それぞれが前記アナウンスメントトラフィック表示メッセージウィンドウの提案された持続時間を定義する、複数の独立基本サービスセットの利用可能属性を受信するための手段と、
前記ネイバーアウェアネットワークにおける前記複数のワイヤレスデバイスからの前記提案された持続時間に基づいて、前記アナウンスメントトラフィック表示メッセージウィンドウの持続時間を決定するための手段と
をさらに備える、Ｃ２８に記載の装置。